(57)【要約】【課題】液搬送元と液搬送先との間の搬送管が長い装置であっても、液搬送先への円滑な液体の搬送を行うことができる液体搬送装置及び液体を吐出する装置を提供する。【解決手段】液搬送元であるキャップユニット２９０と液搬送先である廃液タンク１６とを接続して液体の搬送路を形成する搬送管１４を備える液体搬送装置１０で、キャップユニット２９０に配置され、搬送管１４を押圧した状態で、搬送管１４における液体の搬送方向下流側に向けて移動する押圧移動手段１５を備える。【選択図】図１
2019130813.tif 000002
【特許請求の範囲】
【請求項１】
液搬送元と液搬送先とを接続して液体の搬送路を形成する搬送管を備える液体搬送装置において、
前記搬送管を押圧した状態で、前記搬送管における前記液体の搬送方向下流側に向けて移動する押圧移動手段を備えることを特徴とする液体搬送装置。
【請求項２】
請求項１の液体搬送装置において、
前記液搬送元の内部の前記液体を吸引し、前記搬送管を介して前記液搬送先に向けて圧送する液送ポンプを備えることを特徴とする液体搬送装置。
【請求項３】
請求項１または２の液体搬送装置において、
前記押圧移動手段は、偏心カムであることを特徴とする液体搬送装置。
【請求項４】
請求項１乃至３の何れか一項に記載の液体搬送装置において、
前記押圧移動手段は、ローラ部材であり、
前記ローラ部材は、前記搬送管における前記液体の搬送方向上流側に向けて移動するときには回転し、前記搬送方向下流側に向けて移動するときには回転しない構成であることを特徴とする液体搬送装置。
【請求項５】
請求項１乃至４の何れか一項に記載の液体搬送装置において、
前記押圧移動手段の移動速度を可変制御可能であることを特徴とする液体搬送装置。
【請求項６】
液体を吐出する吐出孔が形成された吐出面を有する液体吐出ヘッドと、
前記吐出面と対向し、前記液体を回収するキャップ部材と、
前記キャップ部材が回収した前記液体を収容する回収液体収容部と、
前記キャップ部材の内部の前記液体を前記回収液体収容部まで搬送する液体搬送手段と、を備える液体を吐出する装置において、
前記液体搬送手段として、請求項１乃至５の何れか一項に記載の液体搬送装置を備えることを特徴とする液体を吐出する装置。
【請求項７】
請求項６の液体を吐出する装置において、
前記キャップ部材は、前記吐出面と対向する位置と前記吐出面と対向しない位置との間で移動可能であり、
前記搬送管の少なくとも一部は前記キャップ部材の移動方向に沿って配置され、
前記押圧移動手段は、前記キャップ部材の移動に連動して前記搬送方向下流側に向けて移動することを特徴とする液体を吐出する装置。
【請求項８】
液体を吐出する液体吐出ヘッドと、
前記液体吐出ヘッドから前記液体を吸引するキャップ部材と、
前記キャップ部材によって吸引された前記液体を収容する液体収容部と、
前記キャップ部材と前記液体収容部とを接続する液体流路と、を備え、
前記キャップ部材は、前記キャップ部材が前記液体吐出ヘッドから離れる方向に移動するとき、前記液体流路を押圧しながら移動する押圧移動手段を有することを特徴とする液体を吐出する装置。
【請求項９】
請求項８の液体を吐出する装置において、
前記キャップ部材が、前記液体吐出ヘッドと対向するキャッピング位置から、前記液体吐出ヘッドと対向しない退避位置へと移動するとき、前記押圧移動手段が前記液体流路を押圧しながら移動することを特徴とする液体を吐出する装置。
【請求項１０】
請求項８または９の液体を吐出する装置において、
前記キャップ部材の内部の前記液体を吸引し、前記液体流路を介して前記液体収容部に向けて圧送する液送ポンプを備えることを特徴とする液体を吐出する装置。
【請求項１１】
請求項８乃至１０の何れか一項に記載の液体を吐出する装置において、
前記押圧移動手段は、偏心カムであることを特徴とする液体を吐出する装置。
【請求項１２】
請求項８乃至１１の何れか一項に記載の液体を吐出する装置において、
前記押圧移動手段は、ローラ部材であり、
前記ローラ部材は、前記液体流路における前記液体の搬送方向上流側に向けて移動するときには回転し、搬送方向下流側に向けて移動するときには回転しない構成であることを特徴とする液体を吐出する装置。
【請求項１３】
請求項８乃至１２の何れか一項に記載の液体を吐出する装置において、
前記押圧移動手段の移動速度を可変制御可能であることを特徴とする液体を吐出する装置。
【請求項１４】
請求項６乃至１３の何れか一項に記載の液体を吐出する装置において、
前記押圧移動手段は、前記キャップ部材の水平方向の移動に連動して水平方向に移動することを特徴とする液体を吐出する装置。
【発明の詳細な説明】
【技術分野】
【０００１】
本発明は、液体搬送装置及び液体を吐出する装置に関するものである。
【背景技術】
【０００２】
従来、液搬送元と液搬送先とを接続して液体の搬送路を形成する搬送管を備える液体搬送装置が知られている。
特許文献１には、この種の液体搬送装置として、インクを吐出する記録ヘッドを覆うキャップ部材（液搬送元）で受けた廃液を吸引ポンプで吸引し、吸引チューブを介して廃液タンク（液搬送先）に搬送する装置を備えたインクジェット記録装置が記載されている。
【発明の概要】
【発明が解決しようとする課題】
【０００３】
液送ポンプと液搬送先とを搬送管で接続して液体を搬送する液体搬送装置では、液送ポンプと液搬送先との間の搬送管が長い場合、液送ポンプだけでは搬送先まで液体を搬送できないことがある。
【課題を解決するための手段】
【０００４】
上述した課題を解決するために、本発明は、液搬送元と液搬送先とを接続して液体の搬送路を形成する搬送管を備える液体搬送装置において、前記搬送管を押圧した状態で、前記搬送管における前記液体の搬送方向下流側に向けて移動する押圧移動手段を備えることを特徴とするものである。
【発明の効果】
【０００５】
本発明によれば、搬送元と液搬送先との間の搬送管が長い装置であっても、液搬送先への円滑な液体の搬送を行うことが可能となる、という優れた効果がある。
【図面の簡単な説明】
【０００６】
【図１】キャップユニットが回収した廃液を廃液タンクに搬送する廃液搬送装置の概略説明図。
【図２】プリンタの概略構成を示す模式図。
【図３】画像形成部の構成を示す模式図。
【図４】キャップユニットのスライド動作の説明するインク吐出部の斜視説明図。
【図５】コロローラの形状の説明図。
【図６】一方向のみに回転可能なコロローラとコロローラの回転方向を規制する機構との説明図。
【発明を実施するための形態】
【０００７】
以下、図面を参照して、本発明の一実施形態について説明する。
【０００８】
［全体説明］
図２は、本実施形態に係る「液体を吐出する装置」としてのインクジェット記録装置であるプリンタ１の概略構成を示す模式図である。
プリンタ１は、主に、給紙部１００、画像形成部２００、乾燥部３００、排紙部４００から構成されている。
【０００９】
プリンタ１においては、給紙部１００から給紙される用紙Ｐ（媒体、シート材及び記録材である）に対し、画像形成部２００で画像形成用の液体であるインクにより画像を形成する。そして、用紙Ｐ上に付着したインクを乾燥部３００において乾燥させた後、用紙Ｐを排紙部４００から排紙する。
【００１０】
［給紙部］
給紙部１００は、主に、複数の用紙Ｐが積載される給紙トレイ１１０と、給紙トレイ１１０から用紙Ｐを一枚ずつ分離して送り出す給送装置１２０と、用紙Ｐを画像形成部２００へ送り込むレジストローラ対１３０とから構成されている。
【００１１】
給送装置１２０には、ローラやコロを用いた装置や、エア吸引を利用した装置など、あらゆる給送装置を用いることが可能である。給送装置１２０により給紙トレイ１１０から送り出された用紙Ｐは、その先端がレジストローラ対１３０に到達した後、レジストローラ対１３０が所定のタイミングで駆動することにより、画像形成部２００へ給紙される。
【００１２】
なお、本実施形態において、給紙部１００は、画像形成部２００へ用紙Ｐを送り出すものであれば、その構成に制限はない。
【００１３】
［画像形成部］
画像形成部２００は、主に、受取胴２０１と、用紙搬送ドラム２１０（搬送部材）と、インク吐出部２２０と、受渡胴２０２とから構成されている。
図３は、画像形成部２００の構成を示す模式図である。
受取胴２０１は、給紙された用紙Ｐ（媒体）を受け取り、下流側に搬送する部材である。用紙搬送ドラム２１０は、受取胴２０１によって搬送された用紙Ｐを外周面に担持して搬送する円筒形状の部材である。インク吐出部２２０は、用紙搬送ドラム２１０によって搬送される用紙Ｐに向けてインクを吐出する機構である。受渡胴２０２は、用紙搬送ドラム２１０によって搬送された用紙Ｐを乾燥部３００へ受け渡す部材である。
【００１４】
給紙部１００から画像形成部２００へ搬送されてきた用紙Ｐは、受取胴２０１の表面に設けられた受取用紙グリッパ２０１ａによって先端が把持され、受取胴２０１の表面移動に伴って搬送される。受取胴２０１により搬送された用紙Ｐは、用紙搬送ドラム２１０との対向位置で用紙搬送ドラム２１０へ受け渡される。
【００１５】
用紙搬送ドラム２１０の表面にも搬送用紙グリッパ２１０ａが設けられており、用紙搬送ドラム２１０へ受け渡された用紙Ｐの先端が搬送用紙グリッパ２１０ａによって把持される。また、用紙搬送ドラム２１０の表面には、複数の吸引孔が分散して形成されており、各吸引孔には吸引装置２１１によって用紙搬送ドラム２１０の内側へ向かう吸い込み気流が発生する。
【００１６】
受取胴２０１から用紙搬送ドラム２１０へ受け渡された用紙Ｐは、搬送用紙グリッパ２１０ａによって先端が把持されると共に、吸い込み気流によって用紙搬送ドラム２１０の表面に吸着して、用紙搬送ドラム２１０の表面移動に伴って搬送される。
【００１７】
本実施形態のインク吐出部２２０は、Ｃ（シアン）、Ｍ（マゼンタ）、Ｙ（イエロー）、Ｋ（ブラック）の四色のインクを吐出して画像を形成するものであり、インクごとに個別の液体吐出ヘッド２３０（２３０Ｃ，２３０Ｍ，２３０Ｙ，２３０Ｋ）を備えている。四つの液体吐出ヘッド２３０は、吐出するインクの色が異なる点以外は同様の構成を備えているため、以下の説明では吐出するインクの色を示す「Ｃ」、「Ｍ」、「Ｙ」、「Ｋ」等の添え字は適宜省略して説明する。
【００１８】
液体吐出ヘッド２３０は、吐出孔から液体を吐出するものであれば、その構成に制限はなく、あらゆる構成のものを採用することができる。必要に応じて、白色、金色、銀色などの特殊なインクを吐出する液体吐出ヘッドを設けたり、表面コート液などの画像を構成しない液体を吐出する液体吐出ヘッドを設けたりしてもよい。
【００１９】
インク吐出部２２０の四つの液体吐出ヘッド２３０は、画像情報に応じた駆動信号によりそれぞれ吐出動作が制御される。用紙搬送ドラム２１０によって搬送された用紙Ｐがインク吐出部２２０との対向領域を通過する際に、四つの液体吐出ヘッド２３０から各色インクが吐出され、当該画像情報に応じた画像が形成される。
【００２０】
なお、本実施形態において、画像形成部２００は、用紙Ｐ上に液体を付着させて画像を形成するであれば、その構成に制限はない。
【００２１】
［乾燥部］
乾燥部３００は、主に、画像形成部２００で用紙Ｐ上に付着したインクを乾燥させるための乾燥機構３０１と、画像形成部２００から搬送されてくる用紙Ｐを搬送する搬送機構３０２とから構成されている。
【００２２】
画像形成部２００から搬送されてきた用紙Ｐは、搬送機構３０２に受け取られた後、乾燥機構３０１を通過するように搬送され、排紙部４００へ受け渡される。乾燥機構３０１を通過する際、用紙Ｐ上のインクには乾燥処理が施され、これによりインク中の水分等の液分が蒸発し、用紙Ｐ上にインクが固着すると共に、用紙Ｐのカールが抑制される。
【００２３】
［排紙部］
排紙部４００は、主に、複数の用紙Ｐが積載される排紙トレイ４１０から構成されている。乾燥部３００から搬送されてくる用紙Ｐは、排紙トレイ４１０上に順次積み重ねられて保持される。
【００２４】
なお、本実施形態において、排紙部４００は、用紙Ｐを排紙するものであれば、その構成に制限はない。
【００２５】
［その他の機能部］
本実施形態のプリンタ１は、給紙部１００、画像形成部２００、乾燥部３００、排紙部４００から構成されているが、他の機能部を適宜追加してもよい。例えば、給紙部１００と画像形成部２００との間に画像形成の前処理を行う前処理部を追加したり、乾燥部３００と排紙部４００との間に画像形成の後処理を行う後処理部を追加したりすることができる。
【００２６】
前処理部としては、例えば、インクと反応して滲みを抑制するための処理液を用紙Ｐに塗布する処理液塗布処理を行うものなどが挙げられるが、前処理の内容については特に制限はない。
【００２７】
また、後処理部としては、例えば、画像形成部２００で画像が形成された用紙Ｐを反転させて再び画像形成部２００へ送って用紙Ｐの両面に画像を形成するための用紙反転搬送処理や、画像が形成された複数枚の用紙Ｐを綴じる処理などが挙げられる。しかし、後処理の内容についても特に制限はない。
【００２８】
本実施形態では、液体を吐出する装置を、インクジェット記録装置であるプリンタ１の例で説明している。プリンタ１は、シート材である用紙Ｐの被乾燥面に向けて液体であるインクを吐出する液体吐出ヘッド２３０を備える。
【００２９】
なお、本実施形態においては、複数の液体吐出ヘッドを用紙幅方向（搬送方向と直交する方向）に並べることで、長尺な液体吐出ヘッド（ラインヘッド）としている。特筆しない場合は、「液体吐出ヘッド」とは「ラインヘッド」を意味する。
【００３０】
本実施形態の個々の液体吐出ヘッド２３０は、用紙Ｐの幅方向にわたる長さ（主走査方向長さ）もったライン型の液体吐出ヘッドであり、用紙Ｐに対して個々の液体吐出ヘッド２３０からインクを吐出する。
【００３１】
本実施形態において、個々の液体吐出ヘッド２３０は、用紙搬送ドラム２１０の回転軸を中心にして放射状に個別に配置している。
【００３２】
液体吐出ヘッド２３０は、吐出孔であるノズルからインクを吐出する。インク吐出部２２０は、個々の液体吐出ヘッド２３０のノズルが設けられたノズル面をそれぞれ覆い、ノズル面を保護する役割を持つキャップを備えたキャップユニット２９０を備える。
キャップユニット２９０は、液体吐出ヘッド２３０に対して用紙搬送ドラム２１０の軸方向（図２及び図３の紙面に直交する方向）にスライド可能となっている。キャップユニット２９０は、スライドすることで、ノズル面２３０ｆと対向するキャッピング位置と、ノズル面２３０ｆと対向しない退避位置との間で移動する。
【００３３】
キャップユニット２９０をスライドさせる移動機構としては、キャップユニット２９０を保持する無端ベルトの移動方向を制御することにより、キャップユニット２９０をスライド移動させる構成を挙げることができる。無端ベルトを用いる構成に限るものではなく、他の例としては、ラックギアをキャップユニット２９０に配置し、プリンタ１の装置本体側に設けたピニオンギアを回転させることにより、キャップユニット２９０をスライドさせる構成を挙げることができる。
【００３４】
キャップユニット２９０は、画像形成時以外に液体吐出ヘッド２３０のノズル面を覆い、ノズルに詰まったインクやノズルから吐出された画像形成に寄与しないインク、ノズル面に付着したインク等を廃液として回収する。
【００３５】
図４は、キャップユニット２９０のスライド動作の説明するインク吐出部２２０の斜視説明図である。図４では、液体吐出ヘッド２３０を保持するヘッド保持フレーム２３１と、キャップユニット２９０を図４中の矢印「Ａ」方向にスライド可能に保持するキャップ保持ガイド２９１と、キャップユニット２９０とを示している。図４は、液体吐出ヘッド２３０を取り外した状態であり、図４中のヘッド配置空間２３０ａに液体吐出ヘッド２３０を配置する構成である。
図２及び図３に示すインク吐出部２２０では、用紙搬送ドラム２１０の回転軸を中心にして放射状に形成された液体吐出ヘッド２３０とキャップユニット２９０との組み合わせが四つである。図４に示すインク吐出部２２０では、用紙搬送ドラム２１０の回転軸を中心にして放射状に形成された液体吐出ヘッド２３０を配置するヘッド配置空間２３０ａとキャップユニット２９０との組み合わせが便宜的に六つとなっている。
【００３６】
インク吐出部２２０は、ヘッド保持フレーム２３１から装置本体の後方向（図４中の矢印「Ａ１」方向）に向けてキャップ保持ガイド２９１が伸び、退避エリア９０を形成している。キャップユニット２９０はこのキャップ保持ガイド２９１に保持され、プリンタ１の装置本体の前後方向（図４中の矢印「Ａ」方向）にスライド可能となっている。
図４では、六つのキャップユニット２９０のうちの一つが退避エリア９０内の退避位置に退避し、他の五つがそれぞれの液体吐出ヘッド２３０と対向するキャッピング位置にある。
【００３７】
プリンタ１が印刷を行う際、キャップユニット２９０は装置本体の後方の退避エリア９０へスライド移動し、スライド前にキャップユニット２９０が居た位置へ液体吐出ヘッド２３０を有する印字ユニットが降下し、印刷を行う。
【００３８】
図１は、キャップユニット２９０が回収した廃液を廃液タンク１６に搬送する廃液搬送装置１０の概略説明図である。図１（ａ）は、キャップユニット２９０が液体吐出ヘッド２３０と対向するキャッピング位置にある状態を示しており、図１（ｂ）は、キャップユニット２９０が退避位置にある状態を示している。
プリンタ１では、液体吐出ヘッド２３０のノズル面２３０ｆを覆い、ノズル面２３０ｆを保護するキャップユニット２９０が、図１（ａ）に示すキャッピング位置と図１（ｂ）に示す退避位置との間でスライド移動する構成となっている。
【００３９】
廃液搬送装置１０は、液搬送元であるキャップユニット２９０内の液体であるインクを吸引して搬送先である廃液タンク１６に向けてインクを圧送する吸引ポンプ１３を備える。吸引ポンプ１３は、キャップユニット２９０に連通し、キャップユニット２９０からインクを下流側へ排出する構成である。廃液タンク１６は、キャップユニット２９０から回収されたインクを回収し、貯留する廃液収容部である。また、廃液搬送装置１０は、吸引ポンプ１３と廃液タンク１６とを接続して搬送路である廃液経路を形成する搬送管（液体流路）である廃液チューブ１４を備える。廃液チューブ１４は、押圧されることで潰れ、押圧力がなくなると元に戻る弾性材料からなる。
【００４０】
さらに、廃液搬送装置１０は、廃液チューブ１４を押圧した状態で、廃液チューブ１４におけるインクの搬送方向下流側（図１中の矢印「Ａ１」方向）に向けて移動する押圧移動手段であるコロローラ１５を備える。
コロローラ１５は、キャップユニット２９０に配置されており、廃液チューブ１４に接触する。
【００４１】
プリンタ１で印刷が終了すると、退避位置に位置していたキャップユニット２９０がキャッピング位置に移動し、液体吐出ヘッド２３０のノズル面２３０ｆをキャップユニット２９０で覆う。キャップユニット２９０がキャッピング位置にある状態で、吸引ポンプ１３を駆動することで、キャップユニット２９０内の気体や液体を吸引ポンプ１３で吸引する。これにより、ノズル詰まりの原因となる固着インクや異物などをノズル面２３０ｆに開口したノズルからキャップユニット２９０内に排出する。さらに、キャップユニット２９０内の固着インクや異物を含有する廃液を吸引ポンプ１３の下流側に位置する廃液タンク１６へ排出する。
【００４２】
吸引ポンプ１３と廃液タンク１６とを接続する廃液チューブ１４では吸引ポンプ１３で発生した正圧によって廃液が廃液タンク１６に向けて搬送させる。しかし、吸引ポンプ１３から廃液タンク１６までの廃液経路が長いと、吸引ポンプ１３で発生した正圧では廃液を廃液タンク１６まで搬送しきれず、廃液チューブ１４内に廃液が残留することがある。廃液チューブ１４内に廃液が残留したままだと、廃液チューブ１４内でインクが固まって廃液チューブ１４が詰まるおそれがある。
【００４３】
吸引ポンプ１３による廃液の圧送が終わった後、次の印刷を行うときには、キャップユニット２９０がキャッピング位置から退避位置へ移動する。
本実施形態では、キャップユニット２９０がキャッピング位置から退避位置へ移動する際、キャップユニット２９０の下部に設けられたコロローラ１５でキャップユニット２９０の下方に這い回された廃液チューブ１４を押し潰しながら移動していく。
【００４４】
これにより、廃液チューブ１４におけるコロローラ１５によって押し潰されて廃液経路の断面積が小さくなる部分が、コロローラ１５を備えるキャップユニット２９０の移動に伴い廃液の搬送方向下流側に移動する。このとき、断面積が小さくなった部分の廃液チューブ１４の内壁面に押された廃液が搬送方向下流側に移動する。よって、吸引ポンプ１３よりも廃液の搬送方向下流側の廃液チューブ１４内に残留した廃液を廃液タンク１６に押し流すことができる。このため、液送ポンプである吸引ポンプ１３と液搬送先である廃液タンク１６との間の搬送管である廃液チューブ１４が長く、廃液チューブ１４における流体抵抗が大きい装置であっても、廃液タンク１６への円滑な廃液の搬送を行うことができる。
【００４５】
プリンタ１は、液体吐出ヘッド２３０と、液体吐出ヘッド２３０のノズル面２３０ｆと対向し、固着インクや異物等を含有する廃液を回収するキャップ部材であるキャップユニット２９０とを備えるインクジェットプリンタである。さらに、プリンタ１は、キャップユニット２９０が回収した廃液を収容する回収液体収容部（液体収容部）である廃液タンク１６を備える。また、キャップユニット２９０の内部の廃液を廃液タンク１６まで搬送する液体搬送手段として、図１を用いて説明した廃液搬送装置１０を備える。これにより、キャップユニット２９０内の廃液を吸引する吸引ポンプ１３から廃液タンク１６までの搬送経路を長くせざるを得ないインクジェットプリンタであっても、廃液タンク１６への円滑な廃液の搬送を行うことができる。
【００４６】
特許文献１には、記録に寄与しない液滴をキャップに吐出して、キャップ内の廃液をチューブ内に一時的に貯留し、貯留した廃液を吸引ポンプによってまとめて廃液タンクに排出する構成が記載されている。特許文献１の構成では、吸引ポンプから廃液タンクまでの廃液の搬送経路が長い場合に、吸引ポンプの駆動によってチューブ内に発生した正圧では廃液タンクまで廃液を搬送しきれないという不具合は防止することができない。
【００４７】
本実施形態のプリンタ１は、キャップユニット２９０が退避位置に移動するスライド移動の際に、コロローラ１５が廃液チューブ１４を押圧して押し潰し、押圧した状態で移動し、廃液チューブ１４内のインクを含む廃液を強制的に搬送方向下流側へ運ぶ構成である。このため、廃液の搬送経路のうち、吸引ポンプ１３よりも下流側の搬送経路に滞留した廃液を排出させることができ、吸引ポンプ１３よりも下流側の搬送経路が長く、流体抵抗が大きい構成であっても円滑に廃液を搬送することが可能となる。
【００４８】
プリンタ１では、キャップユニット２９０は、キャッピング位置と退避位置との間で移動可能であり、廃液チューブ１４の一部はキャップユニット２９０の移動方向に沿って配置されている。そして、コロローラ１５は、キャップユニット２９０の移動に連動して搬送方向下流側に向けて移動する。これによれば、コロローラ１５を移動させる専用の移動機構を設けることなく、コロローラ１５によって廃液チューブ１４を押し潰した状態で、コロローラ１５を廃液の搬送方向下流側に向けて移動させる構成を実現できる。
【００４９】
また、プリンタ１では、キャップユニット２９０が、キャッピング位置から退避位置へと移動するとき、押圧移動手段であるコロローラ１５が液体流路である廃液チューブ１４を押圧しながら移動する。この構成ではキャップユニット２９０が退避位置へと移動する度にコロローラ１５による廃液の搬送を行うことができ、コロローラ１５による廃液の搬送のためだけにコロローラ１５の移動させなくても、コロローラ１５による廃液の搬送ができる。よって、廃液を搬送するためにコロローラ１５を移動させる時間を削減できる。
【００５０】
コロローラ１５が廃液チューブ１４を押圧する構成としては、廃液チューブ１４に対してコロローラ１５を接離する接離機構を備えることが好ましい。キャップユニット２９０がキャッピング位置にあるときには接離機構によってコロローラ１５を廃液チューブ１４から離間させる、または、押し潰し量を小さくさせる。これにより、吸引ポンプ１３による廃液の圧送を行うときに、廃液チューブ１４におけるコロローラ１５の押圧によって押し潰された部分で廃液が搬送され難くなることを防止でき、効率的な圧送を行うことができる。そして、キャップユニット２９０がキャッピング位置から退避位置に移動する前に接離機構によってコロローラ１５を廃液チューブ１４に圧接させることで、廃液チューブ１４を押し潰し、キャップユニット２９０の移動の際に廃液を押し流すことができる。
【００５１】
また、キャップユニット２９０が退避位置からキャッピング位置に移動するときにも接離機構によってコロローラ１５を廃液チューブ１４から離間させる、または、押し潰し量を小さくさせてもよい。これにより、廃液チューブ１４におけるコロローラ１５に押し潰された部分が搬送方向上流側に移動することに起因して、廃液が廃液チューブ１４内を逆流することを防止できる。
【００５２】
図１（ｂ）は、廃液チューブ１４の破線領域「α」で示す範囲内のインクがコロローラ１５によって廃液タンク１６に向けて押し流された状態である。破線領域「α」で示す範囲の廃液チューブ１４は、図４に示すキャップ保持ガイド２９１に這い回されており、コロローラ１５が、固定の壁を形成するキャップ保持ガイド２９１に廃液チューブ１４を押し付けながら移動する。コロローラ１５が、キャップ保持ガイド２９１との間で廃液チューブ１４を挟むことで廃液チューブ１４を押し潰し、キャップ保持ガイド２９１に対して移動することで廃液チューブ１４の押し潰された部分の位置を搬送方向下流側に移動させることができる。
【００５３】
押圧移動手段の形状としては、コロローラ１５のようなローラ形状に限らず、押圧することで搬送管を押し潰し、搬送管に対して押圧した状態で搬送管における液体の搬送方向下流側に移動するものであればよい。
また、押圧移動手段としては、本実施形態のように固定の壁に搬送管を押し付けながら移動する構成に限るものではない。例えば、押圧移動手段が搬送管を挟む挟持部材であって、挟持部材が搬送管を挟むことで搬送管を押し潰し、押し潰した状態で挟持部材が搬送方向下流側に移動する構成であってもよい。
【００５４】
図２乃至図４に示すように、プリンタ１は、液体吐出ヘッド２３０とキャップユニット２９０との組み合わせを複数備える。このため、複数のキャップユニット２９０のそれぞれに対応したキャップユニット２９０と同数の廃液搬送装置１０を備える。
【００５５】
図１（ｂ）に示すように、コロローラ１５は、キャップユニット２９０の水平方向の移動に連動して、廃液チューブ１４を押し潰しながら水平方向に移動する。廃液チューブ１４によって形成される廃液経路が下方に向かう経路の部分では重力が廃液の移動に寄与するため、廃液が廃液チューブ１４内に残留し難い。一方、廃液経路が水平方向に向かう経路の部分では重力は廃液の移動に寄与せず、廃液が廃液チューブ１４内に残留し易い。このような水平方向の廃液経路の廃液の移動をコロローラ１５で補助することにより、効率的な廃液の搬送を行うことができる。
【００５６】
本実施形態のプリンタ１では、キャップユニット２９０がキャッピング位置から退避位置へ移動する移動速度を可変制御可能な構成となっている。これにより、キャップユニット２９０に設けられたコロローラ１５の移動速度が可変制御可能となっている。コロローラ１５の移動速度を変更することにより、廃液チューブ１４内の廃液の状態に応じた速度で廃液を押し流すことができる。
【００５７】
詳しくは、印刷動作終了後、次の印刷動作が行われるまで長時間が経過した場合、廃液チューブ１４内に残留した廃液は長期放置されることにより、含有するインクによって増粘し、押し出され難い状態となることがある。増粘した廃液をコロローラ１５の移動速度が速い状態で押し出そうとすると、廃液がコロローラ１５の移動に追従できず、廃液チューブ１４内で押し潰されて廃液チューブ１４の内壁に固着するおそれがある。一方、コロローラ１５の移動速度を増粘した廃液を押し流すことができるように遅い速度に設定していると、粘性の低い廃液を押し流すときにはコロローラ１５の移動時間が無駄に長くなる。さらに、本実施形態のようにコロローラ１５をキャップユニット２９０に設けた構成では、キャッピング位置から退避位置までのキャップユニット２９０の移動時間が長くなり、プリンタ１の印刷開始までの時間が長くなってしまう。
【００５８】
これに対して、プリンタ１では、キャップユニット２９０の移動速度が可変制御可能となっており、前回の印刷から所定時間経過後に次の印刷を行う場合には、キャップユニット２９０の退避位置に向かう移動速度を遅くする。これにより、長期放置によって増粘したインクを含む廃液を排出することが可能となる。また、所定時間経過前に次の印刷を行う場合には、キャップユニット２９０の退避位置に向かう移動速度を速くする。これにより、コロローラ１５の移動時間が無駄に長くなることを防止でき、プリンタ１の移動開始までの時間が長くなることを防止できる。
【００５９】
次に、コロローラ１５の形状について説明する。
図５は、コロローラ１５の形状の説明図であり、図５（ａ）は円形のコロローラ１５の説明図であり、図５（ｂ）は、卵型の偏心形状のコロローラ１５の説明図である。
図５（ａ）及び図５（ｂ）の何れの形状も用いることができる。しかし、図５（ｂ）に示す卵型の偏心形状のような平面カムを用い、平面カムの角度を制御することで、コロローラ１５による廃液チューブ１４の押圧状態を調整でき、効率的な廃液の搬送や廃液の逆流防止が可能となる。
【００６０】
詳しくは、図５（ｂ）に示すコロローラ１５の回転軸から外周面までの距離が長くなる部分（図５（ｂ）中のコロローラ１５の下部）を廃液チューブ１４に当接させることで廃液チューブ１４への押圧力を大きくすることができる。これにより、廃液チューブ１４の押し潰し量を大きくできる。この状態で、コロローラ１５の回転を停止させ、図１（ｂ）中の矢印「Ａ１」方向に移動させることで、効率的に廃液を搬送方向下流側に向けて押し流すことができる。
【００６１】
一方、図５（ｂ）に示すコロローラ１５の回転軸から外周面までの距離が短くなる部分（図５（ｂ）中のコロローラ１５の上部）を廃液チューブ１４に対向させることで、廃液チューブ１４への押圧力を小さくすることができる。これにより、コロローラ１５を廃液チューブ１４から離間、または、廃液チューブ１４の押し潰し量を小さくできる。この状態で、コロローラ１５の回転を停止させ、図１（ｂ）中の矢印「Ａ１」方向とは逆方向（図４中の矢印「Ａ２」方向）に移動させることで、廃液が廃液チューブ１４内を逆流することを防止できる。
また、吸引ポンプ１３で廃液を圧送するときにも、コロローラ１５の回転軸から外周面までの距離が短くなる部分を廃液チューブ１４に対向させることで、押し潰された部分で廃液が搬送され難くなることを防止でき、効率的な圧送を行うことができる。
【００６２】
コロローラ１５としては、廃液チューブ１４における廃液の搬送方向上流側に向けて移動するときには回転し、搬送方向下流側に向けて移動するときには回転しない構成としてもよい。このような構成の一例を図６に示す。
図６は、一方向のみに回転可能なコロローラ１５とコロローラ１５の回転方向を規制する機構との説明図である。
【００６３】
図６に示す構成では、コロローラ１５が固定されたローラ回転軸１５１に固定された歯車３２と、歯止め揺動軸３３を中心に揺動可能な歯止め３１とを備える。ローラ回転軸１５１と歯止め揺動軸３３とはコロローラ１５を保持して移動する保持部材であるキャップユニット２９０に保持されている。
この構成では、コロローラ１５が図６中の矢印「Ｂ」方向に回転しようとすると、歯止め３１が回転する歯車３２の歯に沿って揺動し、コロローラ１５は自由に回転することができる。一方、コロローラ１５が図６中の矢印「Ｂ」方向とは逆方向に回転しようとすると、歯止め３１が回転する歯車３２の歯に突き当たり、歯車３２の回転を止め、コロローラ１５の回転が止められる。
【００６４】
この構成では、キャップユニット２９０が退避位置に向けて移動する際にはコロローラ１５の回転を止めた状態で廃液チューブ１４に当接させ、廃液チューブ１４内の廃液を濾し取るように搬送方向下流側に押し流すことができる。一方、キャップユニット２９０が再度キャッピング位置に戻る際は、コロローラ１５は自由に回転できるため、廃液チューブ１４に対して負荷をかけずにキャップユニット２９０の移動が可能となる。これにより、廃液が廃液チューブ１４内を逆流することを抑制できる。
【００６５】
搬送管である廃液チューブ１４は弾性材料からなる。そして、廃液チューブ１４における液体の搬送方向上流側の端部が接続された吸引ポンプ１３がキャップユニット２９０の移動によって移動しても、廃液チューブ１４が変形し、吸引ポンプ１３と廃液タンク１６との接続を維持することができる。しかし、このような弾性材料からなる搬送管は、液送ポンプによる正圧が作用すると、搬送経路である内部空間が膨らむように変形し、液送ポンプによる液体を搬送しようとするエネルギーの一部が搬送管の変形に使われてしまう。そして、弾性材料からなる搬送管によって形成される搬送経路が長いほど、変形に使われるエネルギーが大きくなり、液送ポンプで発生した正圧では液体を搬送先まで搬送できず、液体が搬送管内に残留する不具合が生じ易くなる。
本実施形態では、弾性材料からなる廃液チューブ１４をコロローラ１５で押圧することで押し潰し、廃液チューブ１４の内部の廃液を搬送方向下流側に押し流すため、廃液が廃液チューブ１４内で残留し続けることを防止できる。
【００６６】
本実施形態では、インクジェットプリンタのキャップ部材が回収した廃液を搬送する廃液搬送装置について説明したが、本発明に係る液体搬送装置としてはこれに限るものではない。例えば、特開２０１６−１５９５０１号公報に記載の構成のように、ワイパーブレードで回収した付着物を真空吸引装置で吸引して、回収タンクに搬送する装置であっても、搬送する付着物が液体を含む場合は本発明を適用可能である。
また、本発明は、画像形成装置におけるインクを含む液体を搬送する装置に限らず、液搬送元の内部の液体を吸引し、液搬送先に向けて圧送する液送ポンプと、液送ポンプと液搬送先とを接続して液体の搬送路を形成する搬送管を備える装置であれば適用可能である。
また、吸引ポンプ１３等の液送ポンプとしては、油圧ポンプやスクリュポンプ、スクィーズポンプ等の公知の液送ポンプを用いることができる。
【００６７】
本実施形態のプリンタ１では、廃液搬送装置１０の押圧移動手段であるコロローラ１５がキャップユニット２９０と共にスライドする構成であるが、コロローラ１５等の押圧移動手段が単独でスライドする構成でもよい。また、キャップ部材が固定で液体吐出ヘッドを有するユニットが移動する構成の場合は、液体吐出ヘッドを有するユニットの移動に連動して押圧移動手段がスライドし、液体を下流側に搬送する構成としてもよい。また、これらに限らず、廃液チューブ１４等の搬送管に沿って、液体の搬送方向下流側に向かって移動する部材があれば、その移動する部材に連動させて押圧移動手段を移動させる構成としてもよい。
【００６８】
また、プリンタ１では、送液ポンプである吸引ポンプ１３が駆動していないタイミングで押圧移動手段であるコロローラ１５が搬送管である廃液チューブ１４を押し潰しながら移動する構成である。送液ポンプが駆動するタイミングで押圧移動手段が搬送管を押し潰しながら移動すると、送液ポンプによる液体の圧送をおこなうときに搬送管における押圧移動手段によって押し潰された部分の搬送経路の断面積が狭くなり、液体が搬送され難くなるおそれがある。これに対して、プリンタ１のように、送液ポンプが駆動してないタイミングで押圧移動手段を移動させることより、送液ポンプの駆動時に効率的な圧送を行うことができる。
【００６９】
本実施形態において、「液体吐出ヘッド」とは、吐出孔（ノズル）から液体を吐出・噴射する機能部品である。吐出される液体は、ヘッドから吐出可能な粘度や表面張力を有するものであればよく、特に限定されないが、常温、常圧下において、または加熱、冷却により粘度が３０［ｍＰａ・ｓ］以下となるものであることが好ましい。より具体的には、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、などを含む溶液、懸濁液、エマルジョンなどである。これらは例えば、インクジェット用インク、表面処理液、電子素子や発光素子の構成要素や電子回路レジストパターンの形成用液、三次元造形用材料液等の用途で用いることができる。液体を吐出するエネルギー発生源として、圧電アクチュエータ（積層型圧電素子や薄膜型圧電素子）、発熱抵抗体などの電気熱変換素子を用いるサーマルアクチュエータ、振動板と対向電極からなる静電アクチュエータなどを使用するものが含まれる。
【００７０】
本実施形態では、複数の液体吐出ヘッドを用紙幅方向（搬送方向と直交する方向）に並べることで、長尺な液体吐出ヘッド（ラインヘッド）とし、液体吐出ヘッドは装置本体に対して移動しない構成となっている。液体吐出ヘッドとしては、他の部品と共に「液体吐出ユニット」を形成し、装置本体に対して移動しながら印刷する構成としてもよい。
【００７１】
「液体吐出ユニット」とは、液体吐出ヘッドに機能部品、機構が一体化したものであり、液体の吐出に関連する部品の集合体である。例えば、「液体吐出ユニット」は、供給循環機構、キャリッジ、維持回復機構、主走査移動機構の構成の少なくとも一つを液体吐出ヘッドと組み合わせたものなどが含まれる。ここで、一体化とは、例えば、液体吐出ヘッドと機能部品、機構が、締結、接着、係合などで互いに固定されているもの、一方が他方に対して移動可能に保持されているものを含む。また、液体吐出ヘッドと、機能部品、機構が互いに着脱可能に構成されていても良い。
【００７２】
例えば、液体吐出ユニットとして、液体吐出ヘッドと供給循環機構が一体化されているものがある。また、チューブなどで互いに接続されて、液体吐出ヘッドと供給循環機構が一体化されているものがある。ここで、これらの液体吐出ユニットの供給循環機構と液体吐出ヘッドとの間にフィルタを含むユニットを追加することもできる。また、液体吐出ユニットとして、液体吐出ヘッドとキャリッジが一体化されているものがある。また、液体吐出ユニットとして、液体吐出ヘッドを走査移動機構の一部を構成するガイド部材に移動可能に保持させて、液体吐出ヘッドと走査移動機構が一体化されているものがある。また、液体吐出ユニットとして、液体吐出ヘッドが取り付けられたキャリッジに、維持回復機構の一部であるキャップ部材を固定させて、液体吐出ヘッドとキャリッジと維持回復機構が一体化されているものがある。また、液体吐出ユニットとして、供給循環機構若しくは流路部品が取付けられた液体吐出ヘッドにチューブが接続されて、液体吐出ヘッドと供給機構が一体化されているものがある。このチューブを介して、液体貯留源の液体が液体吐出ヘッドに供給される。主走査移動機構は、ガイド部材単体も含むものとする。また、供給機構は、チューブ単体、装填部単体も含むものとする。
【００７３】
「液体を吐出する装置」は、液体吐出ヘッドまたは液体吐出ユニットを備え、液体吐出ヘッドを駆動させて、液体を吐出させる装置である。液体を吐出する装置には、液体が付着可能なものに対して液体を吐出することが可能な装置だけでなく、液体を気中や液中に向けて吐出する装置も含まれる。この「液体を吐出する装置」は、液体が付着可能なものの給送、搬送、排紙に係わる手段、その他、前処理装置、後処理装置なども含むことができる。
【００７４】
「液体を吐出する装置」としては、インクを吐出させて用紙に画像を形成する装置である画像形成装置、立体造形物（三次元造形物）を造形するために粉体を層状に形成した粉体層に造形液を吐出させる立体造形装置（三次元造形装置）等がある。また、「液体を吐出する装置」は、吐出された液体によって文字、図形等の有意な画像が可視化されるものに限定されるものではない。例えば、それ自体意味を持たないパターン等を形成するもの、三次元像を造形するものも含まれる。
【００７５】
「液体が付着可能なもの」とは、液体が少なくとも一時的に付着可能なものであって、付着して固着するもの、付着して浸透するものなどを意味する。具体例としては、用紙、記録紙、記録用紙、フィルム、布などの被記録媒体、電子基板、圧電素子などの電子部品、粉体層（粉末層）、臓器モデル、検査用セルなどの媒体であり、特に限定しない限り、液体が付着するすべてのものが含まれる。上記「液体が付着可能なもの」の材質は、紙、糸、繊維、布帛、皮革、金属、プラスチック、ガラス、木材、セラミックスなど液体が一時的でも付着可能であればよい。「液体が付着可能なもの」の形状しては、用紙Ｐのようなシート状に限らず、液体が付着するものであればどのような形状でもよい。「液体が付着可能なもの」としては、例えば、フィルム製品、衣料用等の布製品、壁紙や床材等の建材、皮革製品などに使用されるものであってもよい。
【００７６】
また、「液体」は、ヘッドから吐出可能な粘度や表面張力を有するものであればよく、特に限定されないが、常温、常圧下において、または加熱、冷却により粘度が３０［ｍＰａ・ｓ］以下となるものであることが好ましい。より具体的には、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、などを含む溶液、懸濁液、エマルジョンなどである。これらは例えば、インクジェット用インク、表面処理液、電子素子や発光素子の構成要素や電子回路レジストパターンの形成用液、三次元造形用材料液等の用途で用いることができる。
【００７７】
また、本実施形態のプリンタ１は、液体吐出ヘッドと液体が付着可能なものとが相対的に移動する「液体を吐出する装置」である。相対的に移動する装置の具体例としては、本実施形態のように液体吐出ヘッドを移動させないライン型装置や、液体吐出ヘッドを移動させるシリアル型装置などが含まれる。「液体を吐出する装置」としては、液体吐出ヘッドと液体が付着可能なものとが相対的に移動する装置に限定するものではない。
【００７８】
「液体を吐出する装置」としては他にも、用紙の表面を改質するなどの目的で、用紙の表面に処理液を塗布するために処理液を用紙に吐出する処理液塗布装置がある。また、原材料を溶液中に分散した組成液をノズルを介して噴射させて、原材料の微粒子を造粒する噴射造粒装置などがある。また、本願の用語における、画像形成、記録、印字、印写、印刷、造形等は何れも同義語とする。
【００７９】
以上に説明したものは一例であり、以下の態様毎に特有の効果を奏する。
（態様１）
キャップユニット２９０等の液搬送元と廃液タンク１６等の液搬送先とを接続して廃液等の液体の搬送路を形成する廃液チューブ１４等の搬送管を備える廃液搬送装置１０等の液体搬送装置において、搬送管を押圧した状態で、搬送管における液体の搬送方向下流側に向けて移動するコロローラ１５等の押圧移動手段を備えることを特徴とする。
これによれば、上記実施形態で説明したように、押圧移動手段によって押圧されることで搬送管が押し潰される。また、押圧した状態で押圧移動手段が移動することで、搬送管における押圧移動手段によって押し潰されて搬送路の断面積が小さくなる部分が液体の搬送方向下流側に移動し、断面積が小さくなった部分の搬送管の内壁面に押された液体が搬送方向下流側に移動する。そして、押圧移動手段が搬送管を押圧しながら移動する範囲では、液搬送元から液搬送先までの液体の搬送路の長さに関係なく、液体を搬送方向下流側に押し流すことができる。このため、搬送元と液搬送先との間の搬送管が長い装置であっても、液搬送先への円滑な液体の搬送を行うことが可能となる。
【００８０】
（態様２）
態様１において、液搬送元の内部の前記液体を吸引し、搬送管を介して液搬送先に向けて圧送する吸引ポンプ１３等の液送ポンプを備えることを特徴とする。
これによれば、上記実施形態で説明したように、液送ポンプで圧送しきれずに搬送管の内部に残留した液体を搬送方向下流側に押し流すことができる。このため、液搬送元と液搬送先との間の搬送管が長く、搬送管における流体抵抗が大きい装置であっても、液搬送先への円滑な液体の搬送を行うことが可能となる。液送ポンプの配置としては、上記実施形態のように、搬送管の搬送方向上流側端部と接続する配置に限らず、搬送管の搬送方向下流側端部と接続する配置でもよい。また、液搬送元と液搬送先とを接続する搬送管の途中に液送ポンプを配置してもよい。
【００８１】
（態様３）
態様１または２の態様において、押圧移動手段は、偏心カムであることを特徴とする。
これによれば、上記実施形態で説明したように、押圧移動手段による搬送管の押圧状態を調整できる。
【００８２】
（態様４）
態様１乃至３の何れかの態様において、押圧移動手段は、コロローラ１５等のローラ部材であり、ローラ部材は、搬送管における液体の搬送方向上流側に向けて移動するときには回転し、搬送方向下流側に向けて移動するときには回転しない構成であることを特徴とする。
これによれば、上記実施形態で説明したように、ローラ部材が搬送方向下流側に移動するときには搬送管の内部の液体を濾し取るように押し流すことができ、ローラ部材が搬送方向下流側に移動するときには搬送管の内部の液体の逆流を抑制することができる。
【００８３】
（態様５）
態様１乃至４の何れかの態様において、押圧移動手段の移動速度を可変制御可能であることを特徴とする。
これによれば、上記実施形態で説明したように、搬送管の内部の液体の状態に応じた速度で液体を押し流すことができる。例えば、インクを含有する液体を搬送する構成の場合、移動速度を変えることで長期放置して増粘したインクも搬送することが可能となる。
【００８４】
（態様６）
インク等の液体を吐出するノズル等の吐出孔が形成されたノズル面２３０ｆ等の吐出面を有する液体吐出ヘッド２３０等の液体吐出ヘッドと、吐出面と対向し、液体を回収するキャップユニット２９０等のキャップ部材と、キャップ部材が回収した液体を収容する廃液タンク１６等の回収液体収容部と、キャップ部材の内部の液体を回収液体収容部まで搬送する液体搬送手段と、を備えるプリンタ１等の液体を吐出する装置において、液体搬送手段として、態様１乃至５の何れかの態様に係る廃液搬送装置１０等の液体搬送装置を備えることを特徴とする。
これによれば、上記実施形態で説明したように、キャップ部材から回収液体収容部まで廃液等の液体を搬送する搬送経路を長くせざるを得ない液体を吐出する装置であっても、円滑な液体の搬送を行うことができる。
【００８５】
（態様７）
態様６において、キャップ部材は、吐出面と対向する位置（キャッピング位置等）と吐出面と対向しない位置（退避位置等）との間で移動可能であり、搬送管の少なくとも一部はキャップ部材の移動方向に沿って配置され、押圧移動手段は、キャップ部材の移動に連動して搬送方向下流側に向けて移動することを特徴とする。
これによれば、上記実施形態で説明したように、押圧移動手段を移動させる専用の移動機構を設けることなく、押圧移動手段によって搬送管を押し潰した状態で、押圧移動手段を液体の搬送方向下流側に向けて移動させる構成を実現できる。
【００８６】
（態様８）
インク等の液体を吐出する液体吐出ヘッド２３０等の液体吐出ヘッドと、液体吐出ヘッドから液体を吸引するキャップユニット２９０等のキャップ部材と、キャップ部材によって吸引された液体を収容する廃液タンク１６等の液体収容部と、キャップ部材と液体収容部とを接続する廃液チューブ１４等の液体流路と、を備え、キャップ部材は、前記キャップ部材が液体吐出ヘッドから離れる方向に移動するとき、液体流路を押圧しながら移動するコロローラ１５等の押圧移動手段を有することを特徴とする。
これによれば、上記実施形態で説明したように、押圧移動手段によって押圧されることで液体流路が押し潰される。押圧した状態で押圧移動手段が移動すると、液体流路における押圧移動手段によって押し潰されて液体流路の断面積が小さくなる部分が液体の搬送方向下流側に移動し、断面積が小さくなった部分の液体流路の内壁面に押された液体が搬送方向下流側に移動する。そして、押圧移動手段が液体流路を押圧しながら移動する範囲では、キャップ部材から液体流路までの液体の搬送路の長さに関係なく、液体を搬送方向下流側に押し流すことができる。このため、キャップ部材と液体流路との間の液体流路が長い装置であっても、液搬送先への円滑な液体の搬送を行うことが可能となる。さらに、キャップ部材が押圧移動手段を有するため、押圧移動手段を移動させる専用の移動機構を設けることなく、押圧移動手段によって液体流路を押し潰した状態で、押圧移動手段を液体の搬送方向下流側に向けて移動させる構成を実現できる。
【００８７】
（態様９）
態様８において、キャップ部材が、液体吐出ヘッドと対向するキャッピング位置から、液体吐出ヘッドと対向しない退避位置へと移動するとき、押圧移動手段が液体流路を押圧しながら移動することを特徴とする。
これによれば、上記実施形態で説明したように、液体を搬送するために押圧移動手段を移動させる時間を削減できる。
【００８８】
（態様１０）
態様８または９において、キャップ部材の内部の液体を吸引し、液体流路を介して液体収容部に向けて圧送する吸引ポンプ１３等の液送ポンプを備えることを特徴とする。
これによれば、上記実施形態で説明したように、液送ポンプで圧送しきれずに搬送管の内部に残留した液体を搬送方向下流側に押し流すことができる。このため、液搬送元と液搬送先との間の搬送管が長く、搬送管における流体抵抗が大きい装置であっても、液搬送先への円滑な液体の搬送を行うことが可能となる。
【００８９】
（態様１１）
態様８乃至１０の何れかの態様において、押圧移動手段は、偏心カムであることを特徴とする。
これによれば、上記実施形態で説明したように、押圧移動手段による液体流路の押圧状態を調整できる。
【００９０】
（態様１２）
態様８乃至１１の何れかの態様において、押圧移動手段は、コロローラ１５等のローラ部材であり、ローラ部材は、液体流路における液体の搬送方向上流側に向けて移動するときには回転し、搬送方向下流側に向けて移動するときには回転しない構成であることを特徴とする。
これによれば、上記実施形態で説明したように、ローラ部材が搬送方向下流側に移動するときには液体流路の内部の液体を濾し取るように押し流すことができ、ローラ部材が搬送方向下流側に移動するときには液体流路の内部の液体の逆流を抑制することができる。
【００９１】
（態様１３）
態様８乃至１２の何れかの態様において、押圧移動手段の移動速度を可変制御可能であることを特徴とする。
これによれば、上記実施形態で説明したように、液体流路の内部の液体の状態に応じた速度で液体を押し流すことができる。例えば、インクを含有する液体を搬送する構成の場合、移動速度を変えることで長期放置して増粘したインクも搬送することが可能となる。
【００９２】
（態様１４）
態様７乃至１３の何れかの態様において、押圧移動手段は、キャップ部材の水平方向の移動に連動して水平方向に移動することを特徴とする。
これによれば、上記実施形態で説明したように、搬送路が水平方向であり、重力が液体の移動に寄与せず、液体が残留し易い部分の液体の移動を押圧移動手段で補助することができ、効率的な液体の移動を行うことが可能となる。
【符号の説明】
【００９３】
１  プリンタ
１０  廃液搬送装置
１３  吸引ポンプ
１４  廃液チューブ
１５  コロローラ
１６  廃液タンク
３２  歯車
３３  揺動軸
９０  退避エリア
１００  プリンタ
１００  給紙部
１１０  給紙トレイ
１２０  給送装置
１３０  レジストローラ対
１５１  ローラ回転軸
２００  画像形成部
２０１  受取胴
２０１ａ  受取用紙グリッパ
２０２  受渡胴
２１０  用紙搬送ドラム
２１０ａ  搬送用紙グリッパ
２１１  吸引装置
２２０  インク吐出部
２２０  液体吐出ヘッド
２３０  液体吐出ヘッド
２３０ａ  ヘッド配置空間
２３０ｆ  ノズル面
２３１  ヘッド保持フレーム
２９０  キャップユニット
２９１  キャップ保持ガイド
３００  乾燥部
３０１  乾燥機構
３０２  搬送機構
４００  排紙部
４１０  排紙トレイ
Ｐ  用紙
【先行技術文献】
【特許文献】
【００９４】
【特許文献１】特開２０１０−０００７８０号公報
【図１】
2019130813.tif 000003
【図２】
2019130813.tif 000004
【図３】
2019130813.tif 000005
【図４】
2019130813.tif 000006
【図５】
2019130813.tif 000007
【図６】
2019130813.tif 000008